(57)【要約】【課題】薄く押し潰してジッパ端部を形成する場合においても、穴や破断の発生を防止して好適に形成可能なジッパ端部形成装置を提供する。【解決手段】ジッパテープＧを所定の長さで切断して形成されるジッパの端部となる位置に、嵌合凸部と嵌合凹部を押し潰して溶融圧着した押し潰し部を形成するジッパ端部形成装置４０であって、繰出されるジッパテープＧを間に対向配置された超音波ヘッド４３ａとアンビル４３ｂを備え、ジッパテープＧに超音波を発振して押し潰し部を形成する超音波端部押し潰し装置４３と、ジッパテープＧの繰出し時には、ジッパテープＧに一定のテンションを掛け、押し潰し部の形成時には、少なくとも押し潰し部にテンションが掛からないようにジッパテープＧを供給するジッパ供給装置とを備える。【選択図】図６
2008179035.tif 000002
【特許請求の範囲】
【請求項１】
雄側ジッパテープの嵌合凸部と雌側ジッパテープの嵌合凹部とを着脱可能に嵌合させてなるジッパテープに対し、該ジッパテープを所定の長さで切断して形成されるジッパの端部となる位置に、前記嵌合凸部と前記嵌合凹部を押し潰して前記雄側ジッパテープと前記雌側ジッパテープを溶着した押し潰し部を形成するジッパ端部形成装置であって、
繰出される前記ジッパテープを間に対向配置された超音波ヘッドとアンビルを備え、前記ジッパテープに超音波を発振して前記押し潰し部を形成する超音波端部押し潰し装置と、
前記ジッパテープの繰出し時には、前記ジッパテープに一定のテンションを掛け、前記押し潰し部の形成時には、少なくとも前記押し潰し部にテンションが掛からないように前記ジッパテープを供給するジッパ供給装置とを備えることを特徴とするジッパ端部形成装置。
【請求項２】
請求項１記載のジッパ端部形成装置において、
前記超音波端部押し潰し装置は、前記押し潰し部の前記嵌合凸部と前記嵌合凹部が一体に溶着される厚さまで前記ジッパテープを押し潰すことを特徴とするジッパ端部形成装置。
【請求項３】
請求項１または請求項２に記載のジッパ端部形成装置において、
前記ジッパ供給装置は、前記超音波端部押し潰し装置の前記ジッパテープの繰出し方向上流側に設けられて前記ジッパテープにテンションを掛けるテンション付与手段と、
該テンション付与手段と前記超音波端部押し潰し装置の間に位置する前記ジッパテープを保持して、前記テンション付与手段からのテンションを遮断するテンション遮断手段とを備えることを特徴とするジッパ端部形成装置。
【請求項４】
請求項１または請求項２に記載のジッパ端部形成装置において、
前記ジッパ供給装置には、前記ジッパテープを繰出すための第１駆動手段と第２駆動手段が、前記超音波端部押し潰し装置を挟んで前記ジッパテープの繰出し方向上流側と下流側にそれぞれ設けられるとともに、前記第１駆動手段と前記第２駆動手段の駆動を制御して前記ジッパテープのテンションを調整する制御装置が設けられていることを特徴とするジッパ端部形成装置。
【請求項５】
請求項３記載のジッパ端部形成装置において、
前記テンション遮断手段が、前記超音波端部押し潰し装置の前記繰出し方向上流側に、前記ジッパテープを巻き掛けて設けられた上流側ローラと、該上流側ローラに向けて進退可能に設けられ、進出時に前記上流側ローラとともに前記ジッパテープを挟持して保持する保持ストッパとを備えて構成されていることを特徴とするジッパ端部形成装置。
【発明の詳細な説明】
【技術分野】
【０００１】
本発明は、ジッパテープを所定の長さで切断して形成されるジッパの端部となる位置に、ジッパの開封動作を止めるための押し潰し部を形成するジッパ端部形成装置に関する。
【背景技術】
【０００２】
従来、着脱可能に嵌合する線状の嵌合凸部と嵌合凹部を有するジッパを備えて、開閉可能に形成されたジッパ付き袋が、食品などの内容物を密閉状態で収容する袋として多用されている。また、この種のジッパ付き袋のジッパには、例えば特許文献１に開示されるように、開閉可能な開閉部（嵌合凸部及び嵌合凹部が着脱可能に嵌合する嵌合部）の両端部側、すなわちジッパの両端部に、嵌合凸部と嵌合凹部を嵌合状態で圧縮したかしめ部と、このかしめ部の周囲から両端にかけて溶融圧着した溶融部とを備えて形成したものがある。このジッパにおいては、袋の開封時にかしめ部で開封動作が止められ、且つ溶融部でジッパが強固に固化されていることで、開封時の負荷をかしめ部と溶融部で順次低減することができ、開封動作に伴ってジッパ端部に破断が生じることを防止している。
【０００３】
そして、このようなジッパ付き袋は、例えば特許文献１に開示される縦形製袋充填包装機によって、フィルムリールから繰出された帯状のフィルムを筒状に形成し、端部を縦シーラや横シーラでそれぞれ加熱シールして形成される。また、このとき、縦シーラで縦方向に重なる両端部を、横シーラで開口する下端部をそれぞれシールしてフィルムが袋状に形成された段階で、開口する上端部側から内容物がホッパを通じて自動的に袋に充填され、最後にこの上端部を横シーラでシールするとともに切断し、内容物を密閉状態で収容した袋が形成される。一方、ジッパは、フィルムリールから繰出されたフィルムが筒状に形成される前段で、フィルムの一面（袋の内面となる一面）に仮溶着して取り付けられ、縦形製袋充填包装機のジッパ本付けヒータによって本付けされる。
【０００４】
ここで、ジッパ端部形成装置は、ジッパ供給装置と超音波端部押し潰し装置で構成されている。ジッパ供給装置は、ジッパテープが巻き回されたジッパリールと、フィルムの一面に沿って進退可能に設けられ、ジッパテープの先端側を把持してジッパテープの繰出し及び切断刃でジッパテープから切り離されたジッパの搬送を行なうジッパ搬送手段と、繰出されたジッパテープに一定のテンションを掛けるテンション付与手段（テンションローラ）とを備えて構成されている。また、超音波端部押し潰し装置は、アンビルと超音波ヘッドを備え、超音波を発振してジッパテープにかしめ部及び溶融部（押し潰し部）を形成する。
【特許文献１】特開２００６−２８２１８９号公報
【発明の開示】
【発明が解決しようとする課題】
【０００５】
しかしながら、上記の特許文献１に開示されたジッパ端部形成装置においては、超音波押し潰し装置による押し潰し時（押し潰し部の形成時）に、テンション付与手段によってジッパテープにテンションが掛けられていて、ジッパテープが繰出し方向上流側（テンション付与手段側）に引っ張られた状態で押し潰し部を形成することになる。また、このとき、ジッパテープの断面形状が一様でないため、押し潰し部には、テンションが不均衡に作用する。
【０００６】
そして、ある程度ジッパテープが厚い場合にはテンションの影響は小さいが、薄いジッパテープを用いる場合や押し潰し部の厚さを薄く形成する場合、押し潰し部（ジッパ端部）を薄く形成するほどに、押し潰し時にテンションの影響が大きくなり、穴や破断が発生しやすくなってしまう。このため、ジッパテープの厚さ（ジッパ端部の厚さ）をある程度厚くせざるを得ず、袋にジッパを溶着する際にジッパ端部のシールが緊密に行なえず、袋の密封性を十分に高めることができないという問題があった。
【０００７】
さらに、ジッパテープの嵌合凸部と嵌合凹部が厚い場合には、嵌合凸部と嵌合凹部を強固にかしめて好適なかしめ部を形成することができるが、ジッパテープの嵌合凸部と嵌合凹部が薄い場合には、嵌合凸部と嵌合凹部を強固に圧着することが難しく、不十分なかしめ状態でかしめ部が形成されてしまう。そして、このように中途半端なかしめ部が形成された場合には、開封時にかしめ部が開いてしまい溶融部に大きな負荷が作用して破断を招いたり、また、かしめ部の嵌合凸部と嵌合凹部（嵌合部）は圧縮によって壊れているため、一度開いたかしめ部を再度嵌合させることができず、袋の密封性が低下するという問題があった。
【０００８】
本発明は、上記事情を鑑み、薄く押し潰してジッパ端部を形成する場合においても、穴や破断の発生を防止して好適に形成可能なジッパ端部形成装置を提供することを目的とする。
【課題を解決するための手段】
【０００９】
上記の目的を達するために、この発明は以下の手段を提供している。
【００１０】
本発明のジッパ端部形成装置は、雄側ジッパテープの嵌合凸部と雌側ジッパテープの嵌合凹部とを着脱可能に嵌合させてなるジッパテープに対し、該ジッパテープを所定の長さで切断して形成されるジッパの端部となる位置に、前記嵌合凸部と前記嵌合凹部を押し潰して前記雄側ジッパテープと前記雌側ジッパテープを溶着した押し潰し部を形成するジッパ端部形成装置であって、繰出される前記ジッパテープを間に対向配置された超音波ヘッドとアンビルを備え、前記ジッパテープに超音波を発振して前記押し潰し部を形成する超音波端部押し潰し装置と、前記ジッパテープの繰出し時には、前記ジッパテープに一定のテンションを掛け、前記押し潰し部の形成時には、少なくとも前記押し潰し部にテンションが掛からないように前記ジッパテープを供給するジッパ供給装置とを備えることを特徴とする。
【００１１】
この発明においては、超音波端部押し潰し装置による押し潰し部の形成時に、すなわち超音波で雄側ジッパテープと雌側ジッパテープを押し潰して溶着させる際に、テンションを掛けずに押し潰し部を形成できるため、薄いジッパテープを用いたり、押し潰し部の厚さを薄く形成する場合においても、穴が開いたり、破断が生じることを防止できる。
【００１２】
また、本発明のジッパ端部形成装置において、前記超音波端部押し潰し装置は、前記押し潰し部の前記嵌合凸部と前記嵌合凹部が一体に溶着される厚さまで前記ジッパテープを押し潰すことが望ましい。
【００１３】
この発明においては、押し潰し部の雄側ジッパテープと雌側ジッパテープを確実に一体に溶着できるため、ジッパの開封時に押し潰し部の嵌合凸部と嵌合凹部が開いて破損することを確実に防止できる。
【００１４】
さらに、本発明のジッパ端部形成装置において、前記ジッパ供給装置は、前記超音波端部押し潰し装置の前記ジッパテープの繰出し方向上流側に設けられて前記ジッパテープにテンションを掛けるテンション付与手段と、該テンション付与手段と前記超音波端部押し潰し装置の間に位置する前記ジッパテープを保持して、前記テンション付与手段からのテンションを遮断するテンション遮断手段とを備えることがより望ましい。
【００１５】
この発明においては、テンション遮断手段によってジッパテープのテンション状態を調整することができ、超音波端部押し潰し装置による押し潰し部の形成時に、確実にテンションを掛けずに押し潰し部を形成することが可能になる。また、テンション遮断手段がテンション付与手段と超音波端部押し潰し装置の間に配置されているため、押し潰し時に、繰出し方向上流側のジッパテープのテンション状態を維持することができる。これにより、押し潰しを終えて再度ジッパテープの繰出し動作に移行する際に、繰出されたジッパテープを一定のテンション状態に迅速に戻すことができ、確実に安定した状態で繰出しを行なうことが可能になる。
【００１６】
また、本発明のジッパ端部形成装置においては、前記ジッパ供給装置に、前記ジッパテープを繰出すための第１駆動手段と第２駆動手段が、前記超音波端部押し潰し装置を挟んで前記ジッパテープの繰出し方向上流側と下流側にそれぞれ設けられるとともに、前記第１駆動手段と前記第２駆動手段の駆動を制御して前記ジッパテープのテンションを調整する制御装置が設けられてもよい。
【００１７】
この発明においては、制御装置により第１駆動手段と第２駆動手段の駆動を制御することによってジッパテープのテンション状態を調整することができ、確実にテンションを掛けずに押し潰し部を形成することが可能になる。
【００１８】
さらに、本発明のジッパ端部形成装置においては、前記テンション遮断手段が、前記超音波端部押し潰し装置の前記繰出し方向上流側に、前記ジッパテープを巻き掛けて設けられた上流側ローラと、該上流側ローラに向けて進退可能に設けられ、進出時に前記上流側ローラとともに前記ジッパテープを挟持して保持する保持ストッパとを備えて構成されていることがさらに望ましい。
【００１９】
この発明においては、上流側ローラに向けて保持ストッパを進出させることでジッパテープを挟持してテンションを遮断することができるため、簡単な構造で確実にジッパテープのテンションを遮断することができる。また、保持ストッパを退避させるという簡便な操作で、繰出されたジッパテープを一定のテンション状態に迅速に戻すことができる。これにより、安価で安定した運転を実現することができる。
【発明の効果】
【００２０】
本発明のジッパ端部形成装置によれば、薄いジッパテープを用いたり、ジッパ端部の厚さを薄く形成できるため、袋にジッパを溶着する際のジッパ端部のシールが緊密に行なえ、袋の密封性を高めることができる。また、このようにジッパ端部を薄く形成する場合においても、ジッパテープの押し潰し部の形成時に穴や破断が発生することがなく、且つジッパ端部が強固に形成されるため、ジッパ及びこのジッパを備える袋の良品率を向上させることができる。
【発明を実施するための最良の形態】
【００２１】
以下、図１から図７を参照し、本発明の第１実施形態に係るジッパ端部形成装置について説明する。本実施形態は、ジッパ端部を好適に薄く形成することが可能なジッパ端部形成装置に関するものである。
【００２２】
はじめに、本実施形態のジッパ端部形成装置を用いて製造されるジッパ付き袋について説明する。本実施形態のジッパ付き袋１は、図１に示すように、縦方向の両端部を重ねて溶着した縦シール部２と、その上下端部をそれぞれ横方向に溶着した上部横シール部３ａ及び下部横シール部３ｂとを備えた、いわゆる三方シールによって形成されたものである。
【００２３】
また、本実施形態のジッパ付き袋（袋）１には、上部横シール部３ａの下方の上端部側に、ジッパ４が取り付けられている。このジッパ４は、図２から図４に示すように、雄側ジッパ片（雄側ジッパテープ）５と雌側ジッパ片（雌側ジッパテープ）６からなり、雄側ジッパ片５は、横方向に線状に延びる嵌合凸部５ａを備えるとともに、この嵌合凸部５ａを挟んで縦方向両側にシート状のフランジ部５ｂを備えて形成されている。一方、雌側ジッパ片６は、横方向に線状に延びる嵌合凹部６ａを備えるとともに、この嵌合凹部６ａの縦方向上側にフランジ部６ｂを備えて形成されている。そして、これら雄側ジッパ片５と雌側ジッパ片６は、袋１の対向する内面のそれぞれにフランジ部５ｂ、６ｂを溶着し、対向配置して取り付けられている。また、このジッパ４は、嵌合凸部５ａと嵌合凹部６ａが着脱可能に嵌合することで嵌合部（開閉部）７が形成され、横方向両端部（ジッパ端部）に、嵌合凸部５ａと嵌合凹部６ａを嵌合状態で例えば半円柱状（平面視長方形状）に圧縮したかしめ部８と、かしめ部８の周囲から両端にかけて、かしめ部８よりも扁平で幅広の略半楕円形板状に雄側ジッパ片５と雌側ジッパ片６の端部が一体に溶融圧着された押し潰し部（溶融部）９とを備えて形成されている。
【００２４】
ここで、本実施形態におけるジッパ４の押し潰し部９は、嵌合凸部５ａと嵌合凹部６ａが一体に溶着される厚さまで薄く形成されている。このように押し潰し部９が形成されることで、雄側ジッパ片５と雌側ジッパ片６の端部同士が強固に一体形成されている。そして、このようなジッパ４を備えた図１に示す袋１は、ジッパ４の下方に例えば粉末状の食品などの内容物が収容されており、ジッパ４と上部横シール部３ａの間を横方向に切断して上部横シール部３ａを取り除くことで、ジッパ４の開閉部７を開いて開封することができ、開閉部７の嵌合凸部５ａと嵌合凹部６ａを再度嵌合させることで内容物を再度密封することができる。また、開封時には、かしめ部８でジッパ４の開封動作が止められ、且つ押し潰し部９でジッパ４がより強固に固化されているため、確実に開封時の負荷をかしめ部８と押し潰し部９で順次低減することができ、開封動作に伴ってジッパ端部に破損が生じることがない。さらに、押し潰し部９が薄く形成されてジッパ端部が袋１の内面に緊密にシールされているため、この点からも、開封動作に伴うジッパ端部の破損が防止されている。
【００２５】
ついで、上記のように構成した本実施形態のジッパ付き袋１を製造する方法について説明する。本実施形態のジッパ付き袋１は、図５に示すようなジッパ付き袋の製造装置を用いて製造され、本実施形態において、このジッパ付き袋の製造装置Ａは、縦形製袋充填包装機Ｂとジッパ製造装置Ｃとを備えて構成されている。
【００２６】
縦形製袋充填包装機Ｂは、所定の幅寸法を備えた帯状のフィルムＦが巻き回されたフィルムリール２０と、フィルムリール２０から繰出されたフィルムＦが巻き掛けられて所定の方向に搬送するようにフィルムＦを支持する複数の固定ロール２１と、固定ロール２１を介して繰出されたフィルムＦを袋状に形成しつつ内容物を充填する製袋充填包装装置２２とを備えて構成されている。
【００２７】
製袋充填包装装置２２は、円筒状あるいは角筒状に形成され、上下方向（縦方向）に配設された製袋チューブ２３と、製袋チューブ２３の上端に繋げられ、内容物を製袋チューブ２３の内孔を通じて袋１に充填するためのホッパ２４と、固定ロール２１によって水平方向（横方向）に繰出されたフィルムＦを製袋チューブ２３の外周に巻き回すように案内する製袋ガイド２５と、製袋チューブ２３の下端側の外周面に対向して配置され、フィルムＦを連続的に下方に搬送し、フィルムＦの繰出しを行う繰出しベルト２６とを備えて構成されている。さらに、製袋充填包装装置２２には、製袋チューブ２３の下端側の外周面に対向し縦方向に配設された縦シーラ２７と、製袋チューブ２３の下方に横方向に配設された横シーラ２８と、横シーラ２８の下流側に並設され、フィルムＦに仮付けされたジッパ４を本付けするためのジッパ本付けヒータ２９とが具備されている。
【００２８】
このように構成した縦形製袋充填包装機Ｂにおいては、フィルムＦが、繰出しベルト２６の駆動によりフィルムリール２０から繰出され、製袋ガイド２５によって案内されて製袋チューブ２３の外周面に巻き回されるとともに筒状に形成される。そして、さらに下方に搬送されるとともに、筒状のフィルムＦの縦方向に重ねられた両端部が縦シーラ２７によって加熱溶着され縦シール部２が形成される。ついで、さらに下方に搬送されると、横シーラ２８によって下部横シール部３ｂが形成され、筒状のフィルムＦが袋状に形成される。この段階で、ホッパ２４から所定量の内容物が製袋チューブ２３の内孔に供給され、この内孔を通じて袋１内に内容物が充填される。そして、繰出しベルト２６によって１つの袋分（袋１の縦方向の長さ分）、フィルムＦが下方に搬送されると、横シーラ２８によって上部横シール部３ａが形成される。また、これと同時に、袋１の内面に仮付けされているジッパ４は、雄側ジッパ片５と雌側ジッパ片６のフランジ部５ｂ、６ｂ、及びジッパ端部に形成した押し潰し部９がジッパ本付けヒータ２９によって袋１の内面に完全に溶着されてシールされる。そして、このように上部横シール部３ａの形成とジッパ４の本付けを終えた袋１は、横シーラ２８に設けられた切断刃３０によって上部横シール部３ａの上方が横方向に切断されて切り離され、これにより内容物を密閉状態で収容したジッパ付き袋１が製造される。なお、横シーラ２８による上部横シール部３ａの形成時には、この袋１の上方に位置して縦シール部２が形成された筒状のフィルムＦに、下部横シール部３ｂが同時に形成される。すなわち、横シーラ２８は、下方の袋１に上部横シール部３ａを形成すると同時に上方の袋１の下部横シール部３ｂを形成する。そして、このように同時形成された下方の袋１の上部横シール部３ａと上方の袋１の下部横シール部３ｂの間が切断刃３０で切断されることで下方の袋１が分離され、フィルムＦの搬送とともに袋１が連続的に製造されてゆく。
【００２９】
一方、フィルムＦにジッパ４を仮付けするジッパ製造装置Ｃは、図５に示すように、ジッパ端部形成装置４０と、ジッパ仮付け装置４５とを備えて構成されている。また、ジッパ端部形成装置４０は、ジッパ供給装置４２と、超音波端部押し潰し装置４３と、切断刃５２とを備え、ジッパ仮付け装置４５は、フィルムＦの一面側に配置された仮付けヒータ（図示せず）とフィルムＦの他面側に配置されたヒータ受け４５ａとを備えて構成されている。
【００３０】
本実施形態のジッパ供給装置４２は、雄側ジッパテープ５の嵌合凸部５ａと雌側ジッパテープ６の嵌合凹部６ａを着脱可能に嵌合させてなるジッパテープＧが巻き回されたジッパリール４６と、ジッパリール４６から繰出されたジッパテープＧが巻き掛けられてこれを支持する支持ローラ４７と、超音波端部押し潰し装置４３のジッパテープＧの繰出し方向Ｔ上流側Ｔ１に設けられ、繰出されたジッパテープＧに一定のテンションを掛けるためのテンション付与手段４８と、テンション付与手段４８と超音波端部押し潰し装置４３の間に位置するジッパテープＧを保持して、テンション付与手段４８からのテンションを遮断するテンション遮断手段４９と、ジッパテープＧの先端側を把持（挟持）してジッパテープＧを繰出すジッパ搬送手段４４と、ジッパ搬送手段４４の上流側Ｔ１に設けられて、ジッパテープＧの先端側を挟持する挟持手段５１と、挟持手段５１の上流側Ｔ１に設けられて、ジッパテープＧの方向を変換する方向変換ローラ５３とを備えている。なお、ジッパ供給装置４２は、少なくともテンション付与手段４８とテンション遮断手段４９とジッパ搬送手段４４を備えていればよい。
【００３１】
本実施形態のテンション付与手段４８は、図６に示すように、横方向に並設された上段の複数の固定ローラ４８ａと、横方向に延設され、上流側Ｔ１に位置する後端側を回転中心に上下に回動自在とされたテンションレバー４８ｂと、このテンションレバー４８ｂに支持された下段の複数の揺動ローラ４８ｃとを備えて構成されている。そして、ジッパリール４６から繰出されたジッパテープＧが、上流側Ｔ１から上段の固定ローラ４８ａと下段の揺動ローラ４８ｃに交互に巻き掛けられて支持されている。また、テンションレバー４８ｂには、テンションレバー４８ｂを下方に回動（揺動ローラ４８ｃを揺動）させるように付勢するスプリング４８ｄが取り付けられている。これにより、テンション付与手段４８の各ローラ４８ａ、４８ｃに巻き掛けられたジッパテープＧは、スプリング４８ｄの付勢力に応じたテンションレバー４８ｂの回動によって下方に引っ張られ、一定のテンションが付与される。
【００３２】
テンション遮断手段４９は、図５及び図６に示すように、複数の支持ローラ４７のうち、超音波端部押し潰し装置４３の上流側Ｔ１に設けられた支持ローラ（上流側ローラ４７ａ）と、シリンダ５０ａと空気圧などで上流側ローラ４７ａに向けて進退するプレート５０ｂとからなる保持ストッパ５０とを備えて構成されている。また、プレート５０ｂの先端には、ゴムなどの弾性部材５０ｃが取り付けられている。そして、本実施形態のテンション遮断手段４９においては、プレート５０ｂが進出することにより、上流側ローラ４７ａに巻き掛けられたジッパテープＧを上流側ローラ４７ａとともに挟持して保持できる。また、このとき、プレート５０ｂに取り付けた弾性部材５０ｃが上流側ローラ４７ａの外周面を押圧しつつ変形して、ジッパテープＧに密着して確実にこれを保持する。
【００３３】
超音波端部押し潰し装置４３は、上流側ローラ４７ａとこの上流側ローラ４７ａの横方向に並設された下流側ローラ４７ｂの一対の支持ローラに支持されたジッパテープＧを間に上下に対向配置した超音波ヘッド４３ａとアンビル４３ｂとを備えて構成されている。また、本実施形態において、ジッパテープＧに超音波を発振する超音波ヘッド４３ａは、略円柱状に形成され、ジッパテープＧと接触する接触面が平面で形成されている。一方、アンビル４３ｂは、上下動可能に設けられ、下方に移動した際にジッパテープＧを超音波ヘッド４３ａとともに押圧して挟持する。また、アンビル４３ｂは、ジッパテープＧとの接触面に、かしめ部８を形成するためのかしめ室と、押し潰し部９を形成するための溶融室とがそれぞれ凹部として形成されている。さらに、溶融室は、比較的浅い深さで平面視略円形または楕円形、あるいは角部のない（角部をＲにした）四角形などの多角形の板状に形成され、かしめ室は、平面視楕円形の溶融室の長軸の両端部に溶融室よりも深い深さで半円柱形に形成されている。
【００３４】
そして、超音波端部押し潰し装置４３は、繰出しが停止した状態のジッパテープＧを超音波ヘッダ４３ａとアンビル４３ｂとで挟持し、超音波を発振することで、図７に示すように、２つ分のかしめ部８と押し潰し部９を一体に形成する。また、各２つ分のかしめ部８と押し潰し部９の形成は、ジッパテープＧの繰出し方向（搬送方向）Ｔの所定間隔で行われ、隣り合う２つ分のかしめ部８と押し潰し部９のそれぞれの中央（切断線Ｓ）を切断することで、両端部にかしめ部８と押し潰し部９を１つずつ備えた１袋分のジッパ４が形成される。
【００３５】
一方、ジッパ搬送手段４４は、図５に示すように、超音波端部形成装置４３や支持ローラ４７よりも下流側Ｔ２に設けられている。また、ジッパ搬送手段４４は、ジッパテープＧの先端側を把持可能な爪４４ａを備え、図示せぬ駆動モータの駆動によってフィルムＦの一面に沿って進退可能に設けられている。
【００３６】
また、挟持手段５１は、ジッパ搬送手段４４の上流側Ｔ１に、繰出されたジッパテープＧの先端側を挟持可能に設けられている。さらに、切断刃５２は、ジッパ搬送手段４４と挟持手段５１の間に、両手段４４、５１で挟持したジッパテープＧを１袋分の長さ（1袋分のジッパ４）に切断するように設けられている。
【００３７】
ついで、上記のジッパ製造装置Ｃによってジッパ端部を形成するとともにフィルムＦにジッパ４を仮付けする方法を説明し、本実施形態のジッパ端部形成装置４０の作用及び効果について説明する。
【００３８】
はじめに、ジッパリール４６から繰出されたジッパテープＧの先端側が挟持手段５１によって挟持される。このとき、ジッパテープＧの先端側が、挟持手段５１よりも下流側Ｔ２に所定量延出した状態で挟持されている。また、この状態において、保持ストッパ５０のプレート５０ｂは退避しており、上流側ローラ４７ａに巻き掛けられたジッパテープＧは解放されている。さらに、超音波端部押し潰し装置４３のアンビル４３ｂが上方に退避している。このため、先端側が挟持手段５１に保持されたジッパテープＧは、テンション付与手段４８によって一定のテンションが掛けられている。
【００３９】
そして、ジッパ搬送手段４４が、挟持手段５１から下流側Ｔ２に延出したジッパテープＧの両面を爪４４ａで把持するとともに、挟持手段５１によるジッパテープＧの挟持が解除される。ついで、ジッパ搬送手段４４が下流側Ｔ２に進出移動して1袋分のジッパ４に応じた長さでジッパテープＧの繰出しを行ない、再度挟持手段５１がジッパテープＧを挟持する。このとき、ジッパリール４６から繰出されるジッパテープＧのテンションは、テンション付与手段４８によって調整され、一定のテンションが維持される。そして、この段階で、超音波端部押し潰し装置４３のアンビル４３ｂが下方に移動し、繰出しが停止した状態のジッパテープＧを超音波ヘッダ４３ａとともに挟持する。
【００４０】
ここで、従来においては、この状態、すなわちジッパテープＧにテンションが掛かった状態で超音波を発振し、かしめ部８及び押し潰し部９を形成していた。このため、ジッパテープＧが上流側Ｔ１（テンション付与手段４８側）に引っ張られた状態で、雄側ジッパテープ５と雌側ジッパテープ６を押し潰して溶着することになり、断面形状が一様でないジッパテープＧの押し潰し部９にテンションが不均衡に作用しながら伸び、押し潰し部９に穴が開いたり、破断が生じる場合があった。特に、本実施形態のように、押し潰し部９を薄く形成した場合には、穴や破断が生じやすく、このため、ジッパテープＧの厚さ（ジッパ端部の厚さ、押し潰し部９の厚さ）を厚くせざるを得ないという問題があった。
【００４１】
これに対し、本実施形態においては、テンション遮断手段４９が設けられている。そして、繰出しが停止した状態のジッパテープＧを超音波ヘッダ４３ａとアンビル４３ｂで挟持するとともに、保持ストッパ５０のプレート５０ｂを進出させ、上流側ローラ４７ａとともにこの部分のジッパテープＧを挟持して保持する。これにより、この挟持部分よりも下流側Ｔ２のジッパテープＧは、テンション付与手段４８によってそのテンションを一定に保つように引っ張られることがなくなる。このため、超音波端部押し潰し装置４３による押し潰し部９の形成時（押し潰し時）に、テンションを掛けずに押し潰し部９を形成でき、不均衡なテンションが作用して穴が開いたり、破断が生じるという不都合を確実に解消することができる。よって、保持ストッパ５０を設けるという簡単な構造でテンションを遮断して穴や破断の発生を防止できるため、ジッパ端部の押し潰し部９を、嵌合凸部５ａと嵌合凹部６ａが一体に溶着される厚さまで薄く形成することが可能になる。
【００４２】
このように好適に２つ分のかしめ部８及び押し潰し部９が超音波端部押し潰し装置４３で形成された段階で、アンビル４３ｂを上方に退避させるとともに、保持ストッパ５０のプレート５０ｂを退避させる。また、本実施形態においては、このように押し潰しを終えて再度ジッパテープＧの繰出し動作に移行する際、テンション遮断手段４９がテンション付与手段４８と超音波端部押し潰し装置４３の間に配置され、押し潰し時にテンション遮断手段４９の上流側Ｔ１のジッパテープＧのテンションが維持されている。このため、テンション遮断手段４９でテンションを遮断した下流側Ｔ２のジッパテープを一定のテンション状態に迅速に戻すことができ、確実に安定した状態で繰出しを行なうことが可能になる。よって、保持ストッパ５０を退避させるという簡便な操作且つ簡単な構造で、繰出されたジッパテープＧを一定のテンション状態に迅速に戻すことができるため、安価で安定した運転を実現することができる。
【００４３】
なお、前述したように、ジッパ搬送手段４４が下流側Ｔ２に進出移動して1袋分のジッパ４に応じた長さでジッパテープＧの繰出しを行なった段階で、ジッパテープＧに先行して形成された２つ分のかしめ部８及び押し潰し部９の中央が、切断刃５２による切断位置（切断線Ｓ）に配される。そして、ジッパ搬送手段４４と挟持手段５１で挟持したジッパテープＧは、この切断刃５２で押し潰し部９を二分するように切断され、所定長さのジッパ４が切り取られる。このジッパ４は、ジッパ搬送手段４４によってフィルムＦの一面の所定位置に搬送され、ジッパ仮付け装置４５によって仮付けされる。
【００４４】
このように仮付けされたジッパ４は、縦形製袋充填包装機ＢによってフィルムＦが袋状に形成され、且つ内容物の充填を行なった後に、ジッパ本付けヒータ２９によって本付けされる。そして、本実施形態においては、ジッパ端部を薄く形成することが可能であるため、このように本付けする際、ジッパ端部の袋１への溶着性を高め、シールを緊密に行なうことができ、袋１の密封性を高めることが可能になる。
【００４５】
したがって、本実施形態のジッパ端部形成装置４０によれば、薄いジッパテープＧを用いたり、ジッパ端部の厚さを薄く形成できることで、袋の密封性を高めることができ、ジッパ４及びこのジッパ４を備える袋１の良品率を向上させることができる。
【００４６】
なお、本発明は、上記の第１実施形態に限定されるものではなく、その趣旨を逸脱しない範囲で適宜変更可能である。例えば、本実施形態では、ジッパ端部にかしめ部８と押し潰し部９が形成されるものとしたが、薄いジッパテープＧ（ジッパ４）を用いる場合には、嵌合凸部５ａと嵌合凹部６ａを強固に圧着することが難しく好適にかしめ部８を形成することができないおそれがある。このため、必ずしもかしめ部８を形成する必要はない。すなわち、本実施形態のように、テンションを掛けずに押し潰し部９を形成した場合には、薄い雄側ジッパテープ（雄側ジッパ片）５と雌側ジッパテープ（雌側ジッパ片）６とが一体になる厚さまで押し潰すことができるため、押し潰し部９を強固に一体形成することができる。よって、例えば図７の符号Ｍで示す全領域に押し潰し部９を形成し、ジッパ端部にかしめ部８を形成しなくても、ジッパ４の開封動作を破断が生じることなくこの押し潰し部９で好適に止めることが可能である。
【００４７】
また、本実施形態では、保持ストッパ５０がシリンダ５０ａとプレート５０ｂで構成されるものとしたが、保持ストッパ５０は、超音波端部押し潰し装置４３による押し潰し時に、上流側ローラ４７ａとともにジッパテープＧを保持して、テンション付与手段４８によるテンションを遮断することが可能であれば、特にシリンダ５０ａとプレート５０ｂ以外の構成であってもよい。これに加えて、保持ストッパ５０とともにテンションを遮断する上流側ローラ４７ａが、超音波端部押し潰し装置４３を間にして配置した一対の支持ローラの上流側支持ローラであるものとしたが、テンション付与手段４８と超音波端部押し潰し装置４３の間に配置されている支持ローラであれば、他の支持ローラであってもよく、この場合においても本実施形態と同様の効果を得ることができる。
【００４８】
ついで、図８及び図９を参照し、本発明の第２実施形態に係るジッパ端部形成装置について説明する。本実施形態は、第１実施形態と同様、ジッパ端部を好適に薄く形成することが可能なジッパ端部形成装置に関するものである。よって、ここでは、第１実施形態に共通する構成に対して同一符号を付し、その詳細についての説明を省略する。
【００４９】
本実施形態のジッパ端部形成装置６０は、図８に示すように、超音波端部押し潰し装置４３と、超音波端部押し潰し装置４３の上流側Ｔ１に位置するジッパリール４６（第１駆動手段）と、ジッパリール４６を回転駆動させる駆動モータ６１と、超音波端部押し潰し装置４３の下流側Ｔ２に位置するジッパ搬送手段４４（第２駆動手段）と、ジッパ搬送手段４４を駆動させる駆動モータ４４ｂと、ジッパテープＧが巻き回された状態のジッパリール４６の径を計測する測径装置６２と、駆動モータ６１と駆動モータ４４ｂ及び測径装置６２に繋げられている制御装置６３とを備えて構成されている。そして、本実施形態のジッパ端部形成装置６０において、制御装置６３が駆動モータ６１及び駆動モータ４４ｂを制御することによって、ジッパリール４６とジッパ搬送手段４４の駆動を制御し、ジッパテープＧの繰出し量及び繰出されたジッパテープＧのテンションが調整される。また、本実施形態では、ジッパリール４６と駆動モータ６１とジッパ搬送手段４４とジッパ搬送手段４４の駆動モータ４４ｂと測径装置６２と制御装置６３と挟持手段５１と方向変換ローラ５３がジッパ供給装置４２を構成している。なお、ジッパ供給装置４２は、このうち少なくともジッパリール４６と駆動モータ６１とジッパ搬送手段４４と駆動モータ４４ｂと制御装置６３とを備えていればよい。
【００５０】
ついで、上記のように構成した本実施形態のジッパ端部形成装置６０でジッパテープＧのテンションを調整しながらジッパ端部を形成し、ジッパ４をフィルムＦに仮付けする動作を、図９に示すタイミングチャートを参照して説明する。
【００５１】
はじめに、時刻ｔ０の状態では、ジッパ搬送手段４４が、挟持手段５１から下流側Ｔ２に延出したジッパテープＧを挟持している。また、挟持手段５１が開かれジッパテープＧの挟持が解除され、超音波端部押し潰し装置４３のアンビル４３ｂが上方に退避している。
【００５２】
この時刻ｔ０の状態からジッパ４の供給を開始する際には、制御装置６３の動作指令を受けてジッパ搬送手段４４の駆動モータ４４ｂが駆動し、ジッパ搬送手段４４が下流側Ｔ２に移動し始める。また、制御装置６３に制御されて、駆動モータ６１がジッパ搬送手段４４の駆動に同期するように駆動を開始する。すなわちジッパ搬送手段４４の移動にジッパテープＧの繰出量を略一致させるように、駆動モータ６１がジッパリール４６を回転させる。一方で、このようなジッパテープＧの繰出し開始時に、駆動モータ６１は、ジッパ搬送手段４４の駆動モータ４４ｂに対して、僅かに遅れた時刻ｔ０’から駆動するように制御され、この微小遅れの駆動によって繰出されたジッパテープＧに一定のテンションが掛けられる。そして、１袋分のジッパ４に応じた長さでジッパテープＧが繰出された時刻ｔ１でジッパ搬送手段４４の駆動モータ４４ｂの駆動が停止し、この時刻ｔ１から僅かに遅れた時刻ｔ１’で駆動モータ６１の駆動が停止するように制御される。このようなジッパテープＧの繰出し停止時には、駆動モータ６１の微小遅れの停止によって、ジッパテープＧのテンションが解除される。なお、この微小遅れの駆動制御は、ジッパテープＧが弛んでその位置精度がくるうことがない程度で行なわれる。また、ジッパ搬送手段４４の駆動モータ４４ｂの駆動停止及び駆動モータ６１の駆動停止は、すなわち１袋分のジッパ４の長さに応じたジッパテープＧの繰出量は、このジッパテープＧの繰出量に応じて変化するジッパリール４６の径が継続的に測径装置６２で計測されているため、この測径装置６２の検出結果を基にして制御装置６３で制御される。
【００５３】
そして、所定量のジッパテープＧが繰出された時刻ｔ１で、挟持手段５１が閉じ初め、ジッパテープＧの先端側をジッパ搬送手段４４と挟持手段５１で挟持するとともに、両手段４４、５１の間に位置する切断刃５２が駆動して、先行して形成された２つ分のかしめ部８及び押し潰し部９の中央（切断位置Ｓ）が切断される。これにより、１袋分のジッパ４がジッパ搬送手段４４に保持される。
【００５４】
挟持手段５１が閉じた後の所定の時刻ｔ２から、超音波端部押し潰し装置４３のアンビル４３ｂが下方に移動し始め、一対の支持ローラ４７ａ、４７ｂで支持された部分のジッパテープＧが、超音波ヘッド４３ａとアンビル４３ｂで挟持される。そして、超音波ヘッド４３ａから超音波を発振（時刻ｔ４）して押し潰しが開始され、所定時間が経過した時刻ｔ９で超音波の発振が停止される。これにより、ジッパテープＧに２つ分のかしめ部８及び押し潰し部９が形成され、時刻ｔ１０でアンビル４３ｂが上方に移動する。
【００５５】
ここで、本実施形態において、上記のように超音波端部押し潰し装置４３による押し潰し時のジッパテープＧは、下流側（先端側）Ｔ２を挟持手段５１で、上流側Ｔ１を駆動モータ６１が停止した状態のジッパリール４６で保持され、且つ駆動モータ６１の微小遅れの停止によりテンションが掛けられていない。このため、ジッパテープＧが引っ張られることがない状態でかしめ部８及び押し潰し部９が形成される。
【００５６】
一方、切断刃５２で切断されてジッパ搬送手段４４に保持されたジッパ４は、制御装置６３によってジッパ搬送手段４４の駆動モータ４４ｂが駆動され（時刻ｔ３）、フィルムＦの所定位置に搬送される（時刻ｔ５）。そして、ジッパ仮付け装置４５の仮付けヒータでフィルムＦの一面に仮付け（シール）が開始される（時刻ｔ６）とともに、ジッパ搬送手段４４の爪４４ａが開かれジッパ４の保持が解除される（時刻ｔ７）。ついで、ジッパ搬送手段４４が次のジッパ４（ジッパテープＧ）を繰り出す初期位置に戻るように（退避するように）ジッパ搬送手段４４の駆動モータ４４ｂが駆動され（時刻ｔ８）、初期位置で停止（時刻ｔ１１）するとともに爪４４ａを閉じ（時刻ｔ１３）、挟持手段５１から下流側Ｔ２に延出したジッパテープＧの先端側を挟持する。また、ジッパ仮付け装置４５によってジッパ４のシールが完了した段階（時刻ｔ１２）で、縦形製袋充填包装機Ｂの繰出しベルト２６が駆動し、１袋分のフィルムＦがフィルムリール２０から繰出される。
【００５７】
したがって、本実施形態のジッパ端部形成装置６０によれば、駆動モータ６１とジッパ搬送手段４４の駆動モータ４４ｂを制御し、ジッパリール４６とジッパ搬送手段４４の駆動が制御装置６３で制御されることで、ジッパテープＧのテンションを解除することができるため、押し潰し時に、押し潰し部９に不均衡なテンションが作用して穴が開いたり、破断が生じるという不都合を確実に解消することができる。よって、このように穴や破断の発生を防止できるため、ジッパ端部を薄く形成することが可能になる。
【００５８】
そして、第１実施形態と同様、ジッパ端部を薄く形成できることにより、ジッパ４の本付け時に、ジッパ端部の袋１への溶着性を高め、シールを緊密に行なうことができ、袋１の密封性を高めることが可能になる。
【００５９】
よって、本実施形態のジッパ端部形成装置６０においても、第１実施形態と同様、薄いジッパテープＧを用いたり、ジッパ端部の厚さを薄く形成できることで、袋１の密封性を高めることができ、ジッパ４及びこのジッパ４を備える袋１の良品率を向上させることができる。
【００６０】
なお、本発明は、上記の第２実施形態に限定されるものではなく、その趣旨を逸脱しない範囲で適宜変更可能である。例えば、本実施形態では、ジッパ端部形成装置６０が、ジッパリール４６（第１駆動手段）に取り付けた駆動モータ６１と、ジッパ搬送手段４４（第２駆動手段）に取り付けた駆動モータ４４ｂとを制御することにより、ジッパリール４６とジッパ搬送手段４４の駆動を制御して、ジッパテープＧの繰出量及び繰り出されたジッパテープＧのテンションを調整するように構成されるとしたが、例えば図１０に示すように、超音波端部押し潰し装置４３の上流側Ｔ１に配置され、ジッパリール４６から繰出されたジッパテープＧを挟んで対向配置した一対のローラ６５ａ、６５ｂを設け、一方のローラを空転ローラ６５ａ、他方のローラを、駆動モータ６１を取り付けた駆動ローラ６５ｂ（第１駆動手段）とし、この駆動ローラ６５ｂの駆動を制御装置６３で制御してジッパテープＧの繰出量及び繰出されたジッパテープＧのテンションを調整するように構成してもよい。この場合には、駆動ローラ６５ｂの回転量を検出することでジッパテープＧの繰出量を検出することができるため、本実施形態のように測径装置６２を設ける必要がなく、例えば駆動モータ６１にエンコーダ付モータを用いるなどしてジッパテープＧの繰出量やテンションを制御することが可能になり、より簡易な構成で本実施形態と同様の効果を得ることができる。なお、この場合には、ジッパリール４６と駆動モータ６１と空転ローラ６５ａと駆動ローラ６５ｂとジッパ搬送手段４４とジッパ搬送手段４４の駆動モータ４４ｂと制御装置６３と挟持手段５１と方向変換ローラ５３とがジッパ供給装置４２を構成する。また、ジッパ供給装置４２は、このうち少なくとも駆動モータ６１と駆動ローラ６５ｂとジッパ搬送手段４４とジッパ搬送手段４４の駆動モータ４４ｂと制御装置６３とを備えていればよい。
【００６１】
さらに、本実施形態では、駆動モータ６１とジッパ搬送手段４４の駆動モータ４４ｂの停止タイミングをずらすことでテンションを調整したが、停止タイミングではなく両駆動モータ６１、４４ｂの駆動速度を制御してテンションを調整するようにしてもよい。
【図面の簡単な説明】
【００６２】
【図１】本発明の第１実施形態に係るジッパ端部形成装置を用いて形成したジッパを備えるジッパ付き袋を示す図である。
【図２】図１のジッパ付き袋のジッパを示す図である。
【図３】図２のＸ１−Ｘ１線矢視図である。
【図４】図２のＸ２−Ｘ２線矢視図である。
【図５】本発明の第１実施形態に係るジッパ端部形成装置を備えたジッパ付き袋の製造装置を示す斜視図である。
【図６】本発明の第１実施形態に係るジッパ端部形成装置を示す側面図である。
【図７】本発明の第１実施形態に係るジッパ端部形成装置を用いて押し潰し部（ジッパ端部）を形成したジッパテープを示す図である。
【図８】本発明の第２実施形態に係るジッパ端部形成装置を示す側面図である。
【図９】本発明の第２実施形態に係るジッパ端部形成装置を備えたジッパ製造装置のタイミングチャートである。
【図１０】本発明の第２実施形態に係るジッパ端部形成装置の変形例を示す側面図である。
【符号の説明】
【００６３】
１      ジッパ付き袋
４      ジッパ
５      雄側ジッパ片（雄側ジッパテープ）
５ａ    嵌合凸部
５ｂ    フランジ部
６      雌側ジッパ片（雌側ジッパテープ）
６ａ    嵌合凹部
６ｂ    フランジ部
７      嵌合部（開閉部）
８      かしめ部
９      押し潰し部（溶融部）
４０    ジッパ端部形成装置
４２    ジッパ供給装置
４３    超音波端部押し潰し装置
４４    ジッパ搬送手段
４４ｂ  ジッパ搬送手段の駆動モータ
４５    ジッパ仮付け装置
４６    ジッパリール
４７    支持ローラ
４７ａ  上流側ローラ
４８    テンション付与手段
４９    テンション遮断手段
５０    保持ストッパ
６０    ジッパ端部形成装置
６１    駆動モータ
６２    測径装置
６３    制御装置
Ａ      ジッパ付き袋の製造装置
Ｂ      縦形製袋充填包装機
Ｃ      ジッパ製造装置
Ｇ      ジッパテープ
Ｆ      フィルム
Ｔ      繰出し方向
Ｔ１    上流側
Ｔ２    下流側
【図１】
2008179035.tif 000003
【図２】
2008179035.tif 000004
【図３】
2008179035.tif 000005
【図４】
2008179035.tif 000006
【図５】
2008179035.tif 000007
【図６】
2008179035.tif 000008
【図７】
2008179035.tif 000009
【図８】
2008179035.tif 000010
【図９】
2008179035.tif 000011
【図１０】
2008179035.tif 000012